(57)【要約】【課題】  画像読み取り部上を原稿が移動することにより原稿を読み取る画像読取装置を提供する。【解決手段】  白圧板３３、読み取り位置３２等へのゴミの付着が検出されたとき、ゴミ等が付着していない読み取り位置３２に走行体６１を移動させ、原稿の読み取りを行ない、かつ該読み取り位置３２に応じた補正値により画像データに補正を施すことにより、オペレータ等によるゴミの除去作業を待たずに原稿の読み取りを実行することができる。また、読み取り位置３２の変更による画質の低下を防止することができる。【選択図】  図１
2006222777.tif 000002
【特許請求の範囲】
【請求項１】
白基準板と走行体上に保持される露光ランプとの間に原稿を通過させ、前記原稿を移動させながら前記原稿を読み取る読取手段を有する画像読取装置において、
前記白基準板を読み取った白基準画像データからゴミの付着及び付着位置を検知するゴミ検知手段と、
前記ゴミ検知手段によってゴミの付着が検知されたとき、前記付着位置に応じて前記走行体を移動させる移動手段と、
前記読取手段によって読み取られた前記原稿の画像データを前記走行体の位置に応じた補正値により補正する補正手段とを有することを特徴とする画像読取装置。
【請求項２】
前記補正手段は、
前記走行体が所定位置に位置するか否かを判断する判断手段と、
前記走行体の位置に対応する補正値からなる補正値テーブルを記憶する記憶手段とを有し、
前記判断手段によって前記走行体が所定位置に位置しないと判断されたとき、前記記憶手段から前記走行体の位置に対応する補正値を読み出し、
前記補正値により前記画像データを補正することを特徴とする請求項１記載の画像読取装置。
【請求項３】
前記記憶手段は、複数の前記補正値テーブルを記憶することを特徴とする請求項２記載の画像読取装置。
【請求項４】
前記補正値テーブルに記憶された前記走行体の位置に対応する補正値を設定する設定手段を有することを特徴とする請求項２又は３記載の画像読取装置。
【請求項５】
前記補正手段は、
前記設定手段によって設定された前記走行体の位置に対応する補正値からなる前記補正値テーブルが前記記憶手段に記憶されているか否かを判定する判定手段を有し、
前記判定手段によって前記設定手段によって設定された前記走行体の位置に対応する補正値からなる前記補正値テーブルが前記記憶手段に記憶されていると判定されたとき、該補正値テーブルの補正値により前記画像データを補正することを特徴とする請求項４記載の画像読取装置。
【請求項６】
前記補正手段は、
前記判定手段によって前記設定手段によって設定された前記走行体の位置に対応する補正値からなる前記補正テーブルが前記記憶手段に記憶されていないと判定されたとき、所定の補正値テーブルの補正値により前記画像データを補正することを特徴とする請求項５記載の画像読取装置。
【請求項７】
前記補正値が前記画像データの色を表す値を補正する数値であることを特徴とする請求項１から６のいずれか１項記載の画像読取装置。
【請求項８】
前記ゴミ検知手段は、
前記白基準画像データを構成する各画素のレベルを所定のしきい値レベルと比較する比較手段を有し、
前記白基準画像データに前記しきい値レベルよりもレベルの低い画素がある場合には、ゴミが付着していると判定することを特徴とする請求項１から７のいずれか１項記載の画像読取装置。
【請求項９】
白基準板と走行体上に保持される露光ランプとの間に原稿を通過させ、前記原稿を移動させながら前記原稿を読み取る読取手段を有する画像読取装置の画像読取方法において、
前記白基準板を読み取った白基準画像データからゴミの付着及び付着位置を検知するゴミ検知工程と、
前記ゴミ検知手段によってゴミの付着が検知されたとき、前記付着位置に応じて前記走行体を移動させる移動工程と、
前記読取手段によって読み取られた前記原稿の画像データを前記走行体の位置に応じた補正値により補正する補正工程とを有することを特徴とする画像読取方法。
【請求項１０】
前記画像読取装置は、前記走行体の位置に対応する補正値からなる補正値テーブルを記憶する記憶手段を有し、
前記補正工程は、
前記走行体が所定位置に位置するか否かを判断する判断工程と、
前記判断工程によって前記走行体が所定位置に位置しないと判断されたとき、前記記憶手段から前記走行体の位置に対応する補正値を読み出す工程と、
前記補正値により前記画像データを補正する工程とを有することを特徴とする請求項９記載の画像読取方法。
【請求項１１】
前記記憶手段は、複数の前記補正値テーブルを記憶することを特徴とする請求項１０記載の画像読取方法。
【請求項１２】
前記補正値テーブルに記憶された前記走行体の位置に対応する補正値を設定する設定工程を有することを特徴とする請求項１０又は１１記載の画像読取方法。
【請求項１３】
前記補正工程は、
前記設定工程によって設定された前記走行体の位置に対応する補正値からなる前記補正値テーブルが前記記憶手段に記憶されているか否かを判定する判定工程と、
前記判定工程によって前記設定工程によって設定された前記走行体の位置に対応する補正値からなる前記補正値テーブルが前記記憶手段に記憶されていると判定されたとき、該補正値テーブルの補正値により前記画像データを補正する工程とを有することを特徴とする請求項１２記載の画像読取方法。
【請求項１４】
前記補正工程は、
前記判定工程によって前記設定工程によって設定された前記走行体の位置に対応する補正値からなる前記補正テーブルが前記記憶手段に記憶されていないと判定されたとき、所定の補正値テーブルの補正値により前記画像データを補正する工程を有することを特徴とする請求項１３記載の画像読取方法。
【請求項１５】
前記補正値が前記画像データの色を表す値を補正する数値であることを特徴とする請求項９から１４のいずれか１項記載の画像読取方法。
【請求項１６】
前記ゴミ検知工程は、
前記白基準画像データを構成する各画素のレベルを所定のしきい値レベルと比較する比較工程と、
前記白基準画像データに前記しきい値レベルよりもレベルの低い画素がある場合には、ゴミが付着していると判定する工程とを有することを特徴とする請求項９から１５のいずれか１項記載の画像読取方法。
【発明の詳細な説明】
【技術分野】
【０００１】
本発明は、画像読取装置及び画像読取方法に関し、特に、画像読み取り部上を原稿が移動することにより原稿を読み取る画像読取装置及び画像読取方法に関する。
【背景技術】
【０００２】
従来、工業用複写機においては原稿が大きいために装置の小型化が図れる原稿移動型の画像読取装置が用いられている。原稿移動型の画像読取装置の代表的な形式としては、画像面を下側にして原稿を搬送し、画像読み取り部（以下、ＣＣＤとする）上の原稿押さえローラとコンタクトガラスとの間の隙間を通過させることにより原稿の画像を読み取る方式がある。
【０００３】
上述の画像読取装置においては、原稿が原稿押さえローラとコンタクトガラスとの間を通過する際、画像面側についた付着物がコンタクトガラス上に付着することがある。この付着物がＣＣＤの読み取り位置に付着すると、原稿読み取りの際に常に画像上に現れる。このため、付着物がたとえ微小な粒状のものであっても、コピー画像には搬送方向全体につながる線、いわゆる黒スジとなって現れ、原稿画像に忠実な読み込みを行うことができない。
【０００４】
特許文献１では、原稿ガイド板の途中部位に移動する原稿に接する清掃部材を設けて原稿の種類に応じて清掃部材の速度または原稿への接圧を可変させることにより、厚い原稿のときは清掃部材との速度差を大きくしたり、清掃部材の原稿への接圧を高くすることにより効果的にゴミを除去し、薄い原稿のときは清掃部材の速度や圧力を低くして原稿を傷めないようにすることができ、かつ鉛筆で描かれた原稿であっても画像コスレを防止することができる原稿移動型読取装置が提案されている。
【０００５】
特許文献２では、コンタクトガラスや白圧板等にゴミが付着していると判定された場合に、ゴミ付着位置の読み取り部における主走査方向の位置を指し示す印を記し、位置決めマークを記したゴミ付着位置指示レポートを出力し、ゴミ付着位置指示レポートに記される位置決めマークと対になる位置決めマークを読み取り部に配設することにより、ゴミの付着位置を正確に特定することができる画像読取装置が提案されている。
【０００６】
特許文献３では、写真フィルム等の透明原稿の画像を読み取る画像読取装置において、原稿保持手段の往復運動に連動して光学フィルタを切り換える制御を行うことにより、安価でコンパクトに構成され、かつ消費電力を低く抑えた画像読取装置、往復運動利用方法、画像処理方法、及び記憶媒体が提案されている。
【特許文献１】特開２０００−７８３６８号公報
【特許文献２】特開２００２−８４３９２号公報
【特許文献３】特開２００１−１６０８８６号公報
【発明の開示】
【発明が解決しようとする課題】
【０００７】
しかし、上記の発明は以下の問題を有している。
【０００８】
特許文献１記載の原稿移動型読取装置は、原稿ガイド板の途中部位に移動する原稿に接する清掃部材を設けて原稿の種類に応じて清掃部材の速度または原稿への接圧を可変させることにより、ゴミを除去しているが、ゴミを除去することができない場合に読み取りを実行することができない。
【０００９】
特許文献２記載の画像読取装置は、コンタクトガラスや白圧板等にゴミが付着していると判定された場合に、ゴミ付着位置の読み取り部における主走査方向の位置を指し示す印を記し、位置決めマークを記したゴミ付着位置指示レポートを出力し、ゴミ付着位置指示レポートに記される位置決めマークと対になる位置決めマークを読み取り部に配設することにより、ゴミの付着位置を正確に特定し、オペレータ等にゴミの付着位置を報知することにより、ゴミの除去を促しているが、ゴミが除去できない場合に読み取りを実行することができない。
【００１０】
特許文献３記載の画像読取装置、往復運動利用方法、画象処理方法、及び記憶媒体は、透明原稿における他の大部分の領域より赤外光透過率が所定値以上に異なる領域をゴミや埃が付着した領域と判断し、ゴミや埃の範囲情報を作成し、該範囲情報に基づいて可視光による透明原稿の画像情報を補正することにより、ゴミ等による出力画像への影響を軽減しているが、ゴミが除去されるまでゴミ等が付着した範囲情報に基づいた補正を常に行う必要がある。
【００１１】
そこで、本発明は、画像読み取り部上を原稿が移動することにより原稿を読み取る画像読取装置において、コンタクトガラス等へのゴミの付着が検出されたとき、ゴミ等が付着していない読取位置において原稿の読み取りを行ない、かつ該読取位置に応じて画像データを補正することにより、コンタクトガラス等へのゴミ付着による出力画質の低下を防止することができる画像読取装置及び画像読取方法を提案することを目的としている。
【課題を解決するための手段】
【００１２】
請求項１記載の発明は、白基準板と走行体上に保持される露光ランプとの間に原稿を通過させ、前記原稿を移動させながら前記原稿を読み取る読取手段を有する画像読取装置において、前記白基準板を読み取った白基準画像データからゴミの付着及び付着位置を検知するゴミ検知手段と、前記ゴミ検知手段によってゴミの付着が検知されたとき、前記付着位置に応じて前記走行体を移動させる移動手段と、前記読取手段によって読み取られた前記原稿の画像データを前記走行体の位置に応じた補正値により補正する補正手段とを有することを特徴とする。
【００１３】
請求項２記載の発明は、請求項１記載の画像読取装置において、前記補正手段は、前記走行体が所定位置に位置するか否かを判断する判断手段と、前記走行体の位置に対応する補正値からなる補正値テーブルを記憶する記憶手段とを有し、前記判断手段によって前記走行体が所定位置に位置しないと判断されたとき、前記記憶手段から前記走行体の位置に対応する補正値を読み出し、前記補正値により前記画像データを補正することを特徴とする。
【００１４】
請求項３記載の発明は、請求項２記載の画像読取装置において、前記記憶手段は、複数の前記補正値テーブルを記憶することを特徴とする。
【００１５】
請求項４記載の発明は、請求項２又は３記載の画像読取装置において、前記補正値テーブルに記憶された前記走行体の位置に対応する補正値を設定する設定手段を有することを特徴とする。
【００１６】
請求項５記載の発明は、請求項４記載の画像読取装置において、前記補正手段は、前記設定手段によって設定された前記走行体の位置に対応する補正値からなる前記補正値テーブルが前記記憶手段に記憶されているか否かを判定する判定手段を有し、前記判定手段によって前記設定手段によって設定された前記走行体の位置に対応する補正値からなる前記補正値テーブルが前記記憶手段に記憶されていると判定されたとき、該補正値テーブルの補正値により前記画像データを補正することを特徴とする。
【００１７】
請求項６記載の発明は、請求項５記載の画像読取装置において、前記補正手段は、前記判定手段によって前記設定手段によって設定された前記走行体の位置に対応する補正値からなる前記補正テーブルが前記記憶手段に記憶されていないと判定されたとき、所定の補正値テーブルの補正値により前記画像データを補正することを特徴とする。
【００１８】
請求項７記載の発明は、請求項１から６のいずれか１項記載の画像読取装置において、前記補正値が前記画像データの色を表す値を補正する数値であることを特徴とする。
【００１９】
請求項８記載の発明は、請求項１から７のいずれか１項記載の画像読取装置において、前記ゴミ検知手段は、前記白基準画像データを構成する各画素のレベルを所定のしきい値レベルと比較する比較手段を有し、前記白基準画像データに前記しきい値レベルよりもレベルの低い画素がある場合には、ゴミが付着していると判定することを特徴とする。
【００２０】
請求項９記載の発明は、白基準板と走行体上に保持される露光ランプとの間に原稿を通過させ、前記原稿を移動させながら前記原稿を読み取る読取手段を有する画像読取装置の画像読取方法において、前記白基準板を読み取った白基準画像データからゴミの付着及び付着位置を検知するゴミ検知工程と、前記ゴミ検知手段によってゴミの付着が検知されたとき、前記付着位置に応じて前記走行体を移動させる移動工程と、前記読取手段によって読み取られた前記原稿の画像データを前記走行体の位置に応じた補正値により補正する補正工程とを有することを特徴とする。
【００２１】
請求項１０記載の発明は、請求項９記載の画像読取方法において、前記画像読取装置は、前記走行体の位置に対応する補正値からなる補正値テーブルを記憶する記憶手段を有し、前記補正工程は、前記走行体が所定位置に位置するか否かを判断する判断工程と、前記判断工程によって前記走行体が所定位置に位置しないと判断されたとき、前記記憶手段から前記走行体の位置に対応する補正値を読み出す工程と、前記補正値により前記画像データを補正する工程とを有することを特徴とする。
【００２２】
請求項１１記載の発明は、請求項１０記載の画像読取方法において、前記記憶手段は、複数の前記補正値テーブルを記憶することを特徴とする。
【００２３】
請求項１２記載の発明は、請求項１０又は１１記載の画像読取方法において、前記補正値テーブルに記憶された前記走行体の位置に対応する補正値を設定する設定工程を有することを特徴とする。
【００２４】
請求項１３記載の発明は、請求項１２記載の画像読取方法において、前記補正工程は、前記記憶手段に前記設定工程によって設定された前記走行体の位置に対応する補正値からなる前記補正値テーブルが前記記憶手段に記憶されているか否かを判定する判定工程と、前記判定工程によって前記設定工程によって設定された前記走行体の位置に対応する補正値からなる前記補正値テーブルが前記記憶手段に記憶されていると判定されたとき、該補正値テーブルの補正値により前記画像データを補正する工程とを有することを特徴とする。
【００２５】
請求項１４記載の発明は、請求項１３記載の画像読取方法において、前記補正工程は、前記判定工程によって前記設定工程によって設定された前記走行体の位置に対応する補正値からなる前記補正テーブルが前記記憶手段に記憶されていないと判定されたとき、所定の補正値テーブルの補正値により前記画像データを補正する工程を有することを特徴とする。
【００２６】
請求項１５記載の発明は、請求項９から１４のいずれか１項記載の画像読取方法において、前記補正値が前記画像データの色を表す値を補正する数値であることを特徴とする。
【００２７】
請求項１６記載の発明は、請求項９から１５のいずれか１項記載の画像読取方法において、前記ゴミ検知工程は、前記白基準画像データを構成する各画素のレベルを所定のしきい値レベルと比較する比較工程と、前記白基準画像データに前記しきい値レベルよりもレベルの低い画素がある場合には、ゴミが付着していると判定する工程とを有することを特徴とする。
【発明の効果】
【００２８】
本発明は、画像読み取り部上を原稿が移動することにより原稿を読み取る画像読取装置において、コンタクトガラス等へのゴミの付着が検出されたとき、ゴミ等が付着していない読取位置において原稿の読み取りを行ない、かつ該読取位置に応じて画像データを補正することにより、コンタクトガラス等へのゴミ付着による出力画質の低下を防止することができる。
【発明を実施するための最良の形態】
【００２９】
以下、本発明の一実施形態ついて説明する。
【００３０】
まず、図１を用い本実施形態に係る画像読取装置を有する画像形成装置の構成について説明する。
【００３１】
本実施形態に係る画像形成装置は、自動原稿送り装置（以下、ＡＤＦとする）１、原稿台２、給送ローラ３、給送ローラ４、排送ローラ５、コンタクトガラス６、原稿セット検知７、第１トレイ８、第２トレイ９、第３トレイ１０、第１給紙ユニット１１、第２給紙ユニット１２、第３給紙ユニット１３、縦搬送ユニット１４、感光体１５、搬送ベルト１６、定着ユニット１７、排紙ユニット１８、排紙トレイ１９、読み取りユニット５０、露光ランプ５１、第１ミラー５２、レンズ５３、ＣＣＤイメージセンサ５４、第２ミラー５５、第３ミラー５６、書き込みユニット５７、レーザ出力ユニット５８、結像レンズ５９、ミラー６０、走行体６１、両面搬送ユニット１１１、反転ユニット１１２、両面入紙搬送路１１３、及び反転排紙搬送路１１４を有して構成される。
【００３２】
本実施形態に係る画像形成装置の具体的な動作について説明する。
【００３３】
ＡＤＦ１の原稿台２に原稿の画像面を上にして置かれた原稿束は、操作部３０上のスタートキー３４が押下されると、一番下の原稿から給送ローラ４によって読み取り位置に給送される。なお、本実施形態に係る画像形成装置は、一枚の原稿を給送完了により原稿枚数をカウントアップするカウント機能を有している。給送された原稿は、読み取り位置に搬送され、読み取りユニット５０によって原稿の画像データが読み取られる。本実施形態に係る画像読取装置は、読み取りユニット５０の読み取り位置にゴミが付着し、読み取り位置を変更した場合に発生する画質の低下を補正することができる。なお、詳細については後述する。
【００３４】
読み取りが終了した原稿は、給送ローラ４及び排送ローラ５によって排出される。さらに、原稿セット検知７にて原稿台２に次の原稿が有ることを検知した場合、前原稿と同様に読み取り位置に給送される。給送ローラ（３、４）、排送ローラ５は搬送モータ２６によって駆動される。
【００３５】
第１トレイ８、第２トレイ９、第３トレイ１０に積載された転写紙は、各々第１給紙ユニット１１、第２給紙ユニット１２、第３給紙ユニット１３によって給紙され、縦搬送ユニット１４によって感光体１５に当接する位置まで搬送される。読み取りユニット５０にて読み込まれた画像データは、書き込みユニット５７からのレーザによって感光体１５に書き込まれ、現像ユニット２７を通過することによってトナー像が形成される。そして、転写紙は感光体１５の回転と等速で搬送ベルト１６によって搬送され、感光体１５上のトナー像が転写される。その後、定着ユニット１７にて画像を定着させ、排紙ユニット１８によって排紙トレイ１９に排出される。
【００３６】
転写紙の両面に画像を作像する場合は、各給紙トレイ８〜１０から給紙され作像された転写紙を排紙トレイ１９側に導かないで、両面入紙搬送路１１３に搬送し、反転ユニット１１２でスイッチバック反転し両面搬送ユニット１１１に送る。両面搬送ユニットに送られた用紙は、再度縦搬送ユニット１４に送られて裏面に画像を印刷された後に排紙される。また、転写紙を反転して排出する場合、上記の反転ユニット１１２でスイッチバック反転した用紙を両面ユニットに送らずに反転排紙搬送路１１４に送り出して排紙する。
【００３７】
感光体１５、搬送ベルト１６、定着ユニット１７、排紙ユニット１８、及び現像ユニット２７は、メインモータ２５によって駆動される。各給紙装置１１〜１３は、メインモータ２５の駆動を各々給紙クラッチ２２〜２４によって伝達駆動される。縦搬送ユニット１４はメインモータ２５の駆動を中間クラッチ２１によって伝達駆動される。
【００３８】
次に、原稿読み取りから、画像の書き込みまでの動作について説明する。
【００３９】
読み取りユニット５０は、原稿を載置するコンタクトガラス６と光学走査系で構成されている。光学走査系は、露光ランプ５１、第１ミラー５２、レンズ５３、ＣＣＤイメージセンサ５４等々で構成される。露光ランプ５１は、走行体６１上に固定されている。第１ミラー５２は、第１キャリッジ上に固定され、第２ミラー５５及び第３ミラー５６は第２キャリッジ上に固定されている。原稿像を読み取るときは、光路長が変わらないように、走行体６１、第１キャリッジ、及び第２キャリッジが機械的に操作される。この光学走査系は、スキャナ駆動モータにて駆動される。原稿画像は、ＣＣＤイメージセンサ５４によって読み取られ、電気信号に変換されて処理される。
【００４０】
書き込みユニット５７は、レーザ出力ユニット５８、結像レンズ５９、及びミラー６０で構成される。レーザ出力ユニット５８の内部には、レーザ光源であるレーザダイオード及びモータによって高速で定速回転する多角形ミラー（ポリゴンミラー）が備わっている。
【００４１】
書き込みユニット５７から出力されるレーザ光が画像作像系の感光体１５に照射される。なお、感光体１５の一端近傍のレーザビームを照射される位置に、主走査同期信号を発生するビームセンサが配置されている。
【００４２】
次に、本実施形態に係る画像読取装置のシステム構成について図２を用いて説明する。
【００４３】
本実施形態に係る画像読取装置は、操作部２１、操作表示部２２、読取部２３、システムコントローラ２４、画像処理部２５、ＲＯＭ２６、及び記憶部（例えば、ＨＤＤ、ＳＲＡＭなど）２７を有して構成される。
【００４４】
操作部２１は、画像読取装置を操作するための種々の操作キー、操作表示部２２（例えば、液晶タッチパネル等）から構成される。例えば、テンキー、読み取りスタートキー、及びその他各種キーが配設されている。
【００４５】
操作表示部２２には、液晶表示装置等の表示器を備え、ユーザに報知する装置の動作状態や、各種メッセージを表示するものである。
【００４６】
読取部２３は、所定の読取密度で原稿画像を読み取って画像信号を得る。
【００４７】
システムコントローラ２４は、ＲＯＭ２６に格納された制御プログラムに従い、記憶部２７を作業領域として使用しながら、装置各部を制御する。
【００４８】
画像処理部２５は、読取部２３からの画像信号をアナログ／デジタル変換すると共に所定の処理を行って出力する。
【００４９】
ＲＯＭ２６は、システムコントローラ２４が上記装置各部を制御するための制御プログラムが記憶されているリードオンリメモリである。
【００５０】
記憶部２７は、画像処理部２５において所定の処理が施された画像データを記憶する。さらに、記憶部２７が有するＲＡＭ等は、前述したようにシステムコントローラ２４の作業領域として使用されるランダムアクセスメモリである。
【００５１】
次に、原稿読み取りの具体的な動作について図３を用いて説明する。
【００５２】
ＡＤＦ（自動原稿送り装置）などにセットされた原稿は、一対の給紙ローラ３により、読み取り位置３２の方向に１枚ずつ搬送（副走査）されつつ、読み取り位置３２において主走査ライン単位で読み取られ、一対の排紙ローラ５により排出される。読み取り位置３２の手前に配設された原稿セット検知センサ７は、搬送される原稿の先端を検知し、また後端部も検知するものである。白圧板３３は、搬送される原稿を、読み取り位置３２の上面に圧接させると共に、原稿読み取り開始に先立つシェーディング補正等のための白基準画像データを得るために読み取られる白基準板を兼ねたものである。
【００５３】
読み取り位置３２では、原稿の画像のうちスキャンラインＬｓ上に位置する１主走査ライン分の画像が読み取られる。また、白基準画像を読み取るときには、白圧板３３のうちのスキャンラインＬｓ上に位置する１主走査ライン分の白基準画像を読み取る。なお、読み取り位置３２において原稿画像または白基準画像（白圧板３３）を読み取られる時には、露光ランプ５１が点灯する。
【００５４】
次に、画像処理部２５の具体的な構成について図４を用いて説明する。
【００５５】
同図において、読取部２３から主走査ライン単位で出力される画像信号は、原稿読み取り時には、画像処理部２５のＡ／Ｄコンバータ４０によりアナログ／デジタル変換されて量子化され、原稿読み取り前に予め、光源消灯状態を読み取って得た暗出力データを暗補正データ４１として保持しておき、１主走査ライン分の画像データを構成する画素ごとの画情報レベルから、減算器４２により対応する画素の暗出力レベルを減じて、暗出力補正を行う。
【００５６】
また、暗出力補正後の画像データを、予め光源点灯状態で白圧板３３を読み取って得た白出力レベルから得られるシェーディング補正データ４３を保持しておき、１主走査ライン分の画像データを構成する画素ごとの画情報レベルに、乗算器４４によって対応する画素のシェーディング補正データを乗じて、光源の強度ムラやイメージセンサを構成する各画素の受光素子ごとの感度むらを補正する。
【００５７】
そのようして暗補正及びシェーディング補正がなされた多値の画像データは、補正処理部４５により、γ補正やＭＴＦ補正等の画質に関する補正がなされたのち、２値化処理部４６により２値化され、モノクロの画像データとして出力される。
【００５８】
補正処理部４５は、走行体６１がゴミの付着していない読み取り位置３２に移動して行った場合、各読み取り位置３２に応じた補正値により画像信号の補正を実行する。なお、各読み取り位置３２に対応する補正値は、メモリ４５ｂ及びメモリｃに格納されており、補正処理部４５は走行体６１が移動した読み取り位置３２に応じて補正値を読み出し、補正を実行する。さらに、補正処理部４５は、γ補正及びＭＴＦ補正に用いた補正値をメモリａに格納し、以後の画像信号の補正に用いる。
【００５９】
ここで、メモリ４５ｂには、ユーザ等が好みに応じて設定した走行体６１の読み取り位置３２ごとの補正値が補正テーブルとして格納されている。メモリ４５ｃには、走行体６１の読み取り位置３２ごとの所定の補正値が補正テーブルとして格納されている。メモリ（４５ｂ、４５ｃ）に格納された補正テーブルの一例を表１及び表２に示す。
【００６０】
【表１】
2006222777.tif 000003
【００６１】
【表２】
2006222777.tif 000004
【００６２】
また、本実施の形態では、暗補正及びシェーディング補正がなされた多値の画像データは、ゴミ検知部４７にも入力される。
【００６３】
図２に示した構成の読取部３において、白圧板３３や読み取り位置３２には、ゴミが付着する場合がある。そのゴミも、付着位置がスキャンラインＬｓ上になければ、原稿を読み取って得られた画像データ（読取画像データ）に影響を与えないが、スキャンラインＬｓ上に付着すると読取画像データに悪影響を与える。具体的には、スキャンラインＬｓ上の白圧板３３表面に付着したゴミは、付着位置に相当する画素についてのシェーディング補正データに大きく影響し、シェーディング補正によりかえって読取画像データの画質悪化を招く。また、スキャンラインＬｓ上の読み取り位置３２の表面に付着したゴミは、付着位置に相当する画素に影をつくって黒スジの原因となる。
【００６４】
図５に、光源点灯状態で白圧板３３を読み取り位置で１主走査ライン分読み取って得られた画信号波形を示す。
【００６５】
図５（ａ）は、読み取り位置３２の表面や白圧板３３の少なくともスキャンラインＬｓ上にはゴミが付着していない場合で、同図（ｂ）は、スキャンラインＬｓ上にゴミが付着している場合である。同図（ｂ）のようにゴミが付着していると、読取画像データを、記録紙に印字して得られる印字済記録紙には、本来の画像に縦黒スジが重なった異常画像となってしまう。
【００６６】
図５（ｂ）において、ゴミ付着位置に相当する画素の受光素子からの信号レベルは、他の受光素子からの信号レベルと比較して著しく低下するため、しきいレベルＬｔｈを、白基準画像としては正常なレベルと判断できるレベル以下の適切なレベルに設定して、そのしきいレベルＬｔｈを下回るレベルの画素を検知することで、ゴミが付着したこと及びその主走査方向の付着位置を検知することができる。ゴミ検知部４７はそのようにしてゴミの付着の有無及び付着位置の検知を行う。
【００６７】
なお、白圧板３３又は読み取り位置３２へのゴミの検知処理は、原稿の読み取り前、読み取り後、ジョブ間等に行われる。
【００６８】
次に、上記の処理によりゴミ検知部４７によりゴミの付着及び付着位置が確認された場合の読み取りユニット５０及び画像処理部２５における動作について図６を用いて説明する。
【００６９】
操作部２１において読み取りを開始するスタートキーが押下されると（ステップＳ６０１）、上述の処理によりゴミの付着及び付着位置の検知が実行され、読み取り位置３２又は白圧板３３にゴミが付着いるか否かが判断される（ステップＳ６０２、ステップＳ６０３）。ここで、読み取り位置３２又は白圧板３３にゴミが付着していると判断された場合は（ステップＳ６０３／ＹＥＳ）、同時に検知されたゴミの付着位置に基づいて走行体６１を移動し（ステップＳ６０４）、再び読み取り位置３２又は白圧板３３へのゴミの付着の有無を判断する（ステップＳ６０２、ステップＳ６０３）。
【００７０】
一方、読み取り位置３２又は白圧板３３にゴミが付着していないと判断された場合は（ステップＳ６０３／ＮＯ）、原稿台２に載置された原稿が読み取り位置３２に搬送され、読み取りが実行される（ステップＳ６０５）。読取部２３において読み取られた原稿の画像信号は画像処理部２５へ入力される。
【００７１】
読取部２３から主走査ライン単位で出力される画像信号は、原稿読み取り時には、画像処理部２５のＡ／Ｄコンバータ４０によりアナログ／デジタル変換されて量子化され（ステップＳ６０６）、原稿読み取り前に予め、光源消灯状態を読み取って得た暗出力データを暗補正データ４１として保持しておき、１主走査ライン分の画像データを構成する画素ごとの画情報レベルから、減算器４２により対応する画素の暗出力レベルを減じて、暗出力補正を行う（ステップＳ６０７）。
【００７２】
また、暗出力補正後の画像データを、予め光源点灯状態で白圧板３３を読み取って得た白出力レベルから得られるシェーディング補正データ４３を保持しておき、１主走査ライン分の画像データを構成する画素ごとの画情報レベルに、乗算器４４によって対応する画素のシェーディング補正データを乗じて、光源の強度ムラやイメージセンサを構成する各画素の受光素子ごとの感度むらを補正する（ステップＳ６０８）。
【００７３】
そのようして暗補正及びシェーディング補正がなされた多値の画像データは、補正処理部４５により、γ補正やＭＴＦ補正等の画質に関する補正がなされる。
【００７４】
補正処理部４５は、まず、原稿の読み取りが基準となる読み取り位置３２において実行されたか否かを判断する。原稿の読み取りが基準となる読み取り位置３２において実行されたと判断されると（ステップＳ６０９／ＹＥＳ）、通常の補正値によりγ補正及びＭＴＦ補正が実行され（ステップＳ６１０）、２値化処理部４６へ出力される。なお、補正処理部４５においてγ補正及びＭＴＦ補正を行った補正値は、メモリ４５ａに格納される（ステップＳ６１１）。
【００７５】
原稿の読み取りが基準となる読み取り位置３２において実行されていないと判断された場合は（ステップＳ６０９／ＮＯ）、走行体６１が移動した読み取り位置３２に対応する補正処理部３５の補正値がメモリ４５ｂに格納されているか否かを判断する（ステップＳ６１２）。なお、走行体６１が移動した各読み取り位置３２に対応する補正値の補正テーブルは、ユーザ等の好みに応じて作成され、メモリ４５ｂに格納される。
【００７６】
ここで、メモリ４５ｂに走行体６１が移動した読み取り位置３２に対応する補正値が格納されている場合は（ステップＳ６１２／ＹＥＳ）、該補正値によりγ補正・ＭＴＦ補正を実行する（ステップＳ６１３）。補正処理部３５において利用した補正値は、メモリ４５ａに格納される（ステップＳ６１１）。
【００７７】
一方、メモリ４５ｂに走行体６１が移動した読み取り位置３２に対応する補正値が格納されていなかった場合は（ステップＳ６１２／ＮＯ）、メモリ４５ｃに格納された所定の補正テーブルから走行体６１が移動した読み取り位置３２に対応する補正値によりγ補正・ＭＴＦ補正を実行する（ステップＳ６１４）。なお補正処理部３５において利用した補正値は、メモリ４５ａに格納される（ステップＳ６１１）。
【００７８】
以上の処理により、補正処理部４５において補正された画像信号は、２値化処理部４５に出力される。２値化処理部４５は、画像信号を２値化し、モノクロの画像データとして出力する。
【００７９】
本実施形態に係る画像読取装置によれば、白圧板３３又は読み取り位置３２にゴミが付着した場合に、オペレータ等によるゴミの除去作業を待たずに原稿の読み取りを実行することができる。また、ゴミの付着により走行体６１を移動して原稿の読み取りを行った場合に、走行体６１が移動した読み取り位置３２に応じた補正値によりγ補正、ＭＴＦ補正を実行することにより、読み取り位置３２の変更による画質の低下を防止することができる。
【図面の簡単な説明】
【００８０】
【図１】本実施形態に係る画像読取装置を有する画像形成装置の構成を示す概略図である。
【図２】本実施形態に係る画像読取装置のシステム構成を示すブロック図である。
【図３】画像読取装置の画像読み取り位置の詳細な図である。
【図４】画像処理部のシステム構成を示すブロック図である。
【図５】（ａ）及び（ｂ）は付着したゴミがある場合とない場合の画像信号例である。
【図６】画像処理部の処理を示すフローチャートである。
【符号の説明】
【００８１】
１    自動原稿送り装置
２    原稿台
３    給送ローラ
５    排送ローラ
６    コンタクトガラス
７    原稿セット検知センサ
２１    操作部
２２    操作表示部
２３    読取部
２４    システムコントローラ
２５    画像処理部
２６    ＲＯＭ
２７    記憶部
４０    Ａ／Ｄコンバータ
４５    補正処理部
４６    ２値化処理部
４７    ゴミ検知部
５０    読み取りユニット
５１    露光ランプ
５３    レンズ
５４    ＣＣＤ
【図１】
2006222777.tif 000005
【図２】
2006222777.tif 000006
【図３】
2006222777.tif 000007
【図４】
2006222777.tif 000008
【図５】
2006222777.tif 000009
【図６】
2006222777.tif 000010